(57)【特許請求の範囲】
【請求項１】
第１の無線基地局と隣接する第２の無線基地局が、前記第２の無線基地局が管轄する第２のセルに関する属性値を前記第１の無線基地局に送信し、
前記第１の無線基地局が前記第２のセルに関する属性値を受信し、
前記第１の無線基地局が、当該第１の無線基地局が管轄する第１のセルの属性値と、前記第２のセルの属性値を比較し、
前記第１の無線基地局は、受信した前記第２のセルの属性値が前記第１のセルの属性値と異なる場合に、予め定められている基準に従って前記第１のセルの属性値と前記第２のセルの属性値と一致させる処理を実行する、
通信制御方法。
【請求項２】
前記属性値には、ハンドオーバー許可・禁止情報、測定許可・禁止情報、負荷分散制御許可・禁止情報のいずれか１つ以上が含まれる、
請求項１記載の通信制御方法。
【請求項３】
前記第２のセルに関する属性値は、隣接セルに付随する情報に付加されて、前記第２の無線基地局から前記第１の無線基地局に対して送信される、
請求項１又は２記載の通信制御方法。
【請求項４】
前記第１の無線基地局と前記第２の無線基地局の通信方式が異なる場合において、
前記第１の無線基地局と前記第２の無線基地局が接続している通信網を通じて、前記属性値を送受信する、
請求項１〜３いずれかに記載の通信制御方法。
【請求項５】
地域エリア網情報制御時に前記属性値の送受信を行う、
請求項４の通信制御方法。
【請求項６】
前記属性値の送受信を、無線基地局を制御する無線基地局制御装置を介して行う、
請求項１〜５いずれかに記載の通信制御方法。
【請求項７】
第１の無線基地局が管轄する第１のセルに関する属性値と、第２の無線基地局が管轄する第２のセルに関する属性値を取得し、
取得した第１のセルに関する属性値と、前記第２のセルに関する属性値とが異なる場合に、予め定められている基準に従って前記第１のセルに関する属性値と前記第２のセルの属性値と一致させる、
通信制御方法。
【請求項８】
第１の無線基地局と、当該第１の無線基地局と隣接する第２の無線基地局とを備え、
前記第２の無線基地局は、
前記第２の無線基地局が管轄する第２のセルに関する属性値を前記第１の無線基地局に送信する手段を有し、
前記第１の無線基地局は、
前記第１の無線基地局が前記第２のセルに関する属性値を受信する手段と、
当該第１の無線基地局が管轄する第１のセルの属性値と、前記第２のセルの属性値が異なる場合に、予め定められている基準に従って前記第１のセルの属性値と前記第２のセルの属性値と一致させる手段とを有する、
無線通信システム。
【請求項９】
隣接する他の無線基地局が管轄する第１のセルに関する属性値を取得する手段と、
取得した第１のセルに関する属性値と、自身が管轄する第２のセルに関する属性値とが異なる場合に、予め定められている基準に従って前記第１のセルに関する属性値と前記第２のセルの属性値と一致させる手段とを有する、
無線基地局。
【請求項１０】
第１の無線基地局が管轄する第１のセルに関する属性値と、第２の無線基地局が管轄する第２のセルに関する属性値を取得し、
取得した第１のセルに関する属性値と、前記第２のセルに関する属性値とが異なる場合に、予め定められている基準に従って前記第１のセルに関する属性値と前記第２のセルの属性値と一致させる、
処理をコンピュータに実行させるプログラム。
【発明の詳細な説明】
【技術分野】
【０００１】
本発明は隣接する無線基地局間の基地局の制御方法に関する。
【背景技術】
【０００２】
インターネットや映像配信等の広帯域マルチメディア通信サービスの爆発的な需要増加に伴い、より大容量の変調方式を使用した無線通信システムの導入が進んでいる。大容量のデータを一度に伝送可能とする高速通信規格として、ＬＴＥ (Long Term Evolution)等の需要が伸びている。これらの通信方式は、移動端末が、無線基地局がカバーする隣接セル間を移動した場合でも、通信の途切れを最小限にする、ハンドオーバー技術が重要である。【０００３】
ハンドオーバー失敗には、セル間を移動するユーザのハンドオーバー失敗、Load Balancing（通信負荷の分散）失敗、もしくは期待しないセルへのハンドオーバー等がある。【０００４】
特許文献１は、フェムトセルの基地局のハンドオーバーに関する技術が記載されている。
特許文献２は、基地局がブラックリスト情報を通信端末に通知する一般的な方法を示している。
しかし、いずれの文献もハンドオーバー失敗の原因に対する解決方法は提示していない。
【先行技術文献】
【特許文献】
【０００５】
【特許文献１】特開２０１２−０７００７４号公報
【特許文献２】特開２０１０−１７１６６０号公報
【非特許文献】
【０００６】
【非特許文献１】3GPP TS 32.101 ver.11.0.0
【非特許文献２】3GPP TS 32.423 ver.11.0.0
【非特許文献３】3GPP TS 32.762 ver.11.0.0
【非特許文献４】3GPP TS 36.300 ver.11.0.0
【非特許文献５】3GPP TS 36.331 ver.10.4.0
【非特許文献６】3GPP TS 36.423 ver.10.4.0
【非特許文献７】3GPP TS 48.018 ver.10.4.0
【発明の概要】
【発明が解決しようとする課題】
【０００７】
上述のように、隣接する無線基地局のセル間のハンドオーバー時に、隣接する無線基地局の制御の失敗によってハンドオーバーが失敗する場合がある、という課題がある。
本発明は、上述の問題を解決するためになされたものであり、ハンドオーバー失敗という問題を回避する、通信制御方法、無線通信システム、無線基地局、及び非一時的なコンピュータ可読媒体を提供することを目的とする。
【課題を解決するための手段】
【０００８】
一態様にかかる通信制御方法は、
第１の無線基地局と隣接する第２の無線基地局が、前記第２の無線基地局が管轄する第２のセルに関する属性値を前記第１の無線基地局に送信し、
前記第１の無線基地局が前記第２のセルに関する属性値を受信し、
前記第１の無線基地局が、当該第１の無線基地局が管轄する第１のセルの属性値と、前記第２のセルの属性値を比較し、
前記第１の無線基地局は、受信した前記第２のセルの属性値が前記第１のセルの属性値と異なる場合に、予め定められている基準に従って前記第１のセルの属性値と前記第２のセルの属性値と一致させる処理を実行する。【０００９】
一態様にかかる無線通信システムは、
第１の無線基地局と、当該第１の無線基地局と隣接する第２の無線基地局とを備える。そして、
前記第２の無線基地局は、
前記第２の無線基地局が管轄する第２のセルに関する属性値を前記第１の無線基地局に送信する手段を有し、
前記第１の無線基地局は、
前記第１の無線基地局が前記第２のセルに関する属性値を受信する手段と、
当該第１の無線基地局が管轄する第１のセルの属性値と、前記第２のセルの属性値が異なる場合に、予め定められている基準に従って前記第１のセルの属性値と前記第２のセルの属性値と一致させる手段とを有する。【００１０】
一態様にかかる無線基地局は、
隣接する他の無線基地局が管轄する第１のセルに関する属性値を取得する手段と、
取得した第１のセルに関する属性値と、自身が管轄する第２のセルに関する属性値とが異なる場合に、予め定められている基準に従って前記第１のセルに関する属性値と前記第２のセルの属性値と一致させる手段とを有する。【００１１】
一態様にかかる非一時的なコンピュータ可読媒体は、
第１の無線基地局が管轄する第１のセルに関する属性値と、第２の無線基地局が管轄する第２のセルに関する属性値を取得し、
取得した第１のセルに関する属性値と、前記第２のセルに関する属性値とが異なる場合に、予め定められている基準に従って前記第１のセルに関する属性値と前記第２のセルの属性値と一致させる、
処理をコンピュータに実行させる。
【発明の効果】
【００１２】
本発明によると、隣接する無線基地局のセル間の移動端末のハンドオーバー時に、隣接する無線基地局を制御することによって、ハンドオーバーの失敗を防止することができる。
【図面の簡単な説明】
【００１３】
【図１】本発明の一実施の形態のノードの構成の図である。
【図２】無線基地局の構成図である。
【図３】無線基地局１００が無線基地局１０３に送信するセル１０１の情報要素である。
【図４】無線基地局１０３が無線基地局１００に送信するセル情報１０２の要素である。
【図５】ＬＴＥのハンドオーバー属性値、ブラックリスト属性値及びＬＢ属性値設定を追加する場合の例である。
【図６】ＬＴＥのハンドオーバー属性値、ブラックリスト属性値及びＬＢ属性値設定を追加する場合の例である。
【図７】無線基地局１００が無線基地局１０３にセル１０１情報要素を送信する図である。
【図８】属性値一致化のアルゴリズムを示す図である。
【図９】無線基地局間のハンドオーバー設定の一致化アルゴリズムを示す図である。
【図１０】無線基地局１００のセル１０１からセル１０２への実ブラックリスト設定を決めるアルゴリズムを示す図である。
【図１１】無線基地局間の実ＬＢ設定統一のアルゴリズムを示す図である。
【図１２】実施の形態４の概略図である。
【図１３】実施の形態４の無線基地局１００から無線基地局１０３に送るセル１０１の情報要素である。
【図１４】実施の形態４の無線基地局１０３から無線基地局１００に送るセル１０２の情報要素である。
【図１５】実施の形態５の無線基地局１００と無線基地局１０３でそれぞれの隣接セル情報要素を互いに送信する動作の図である。
【図１６】MOBILITY CHANGE FAILURE messageの中身のCause値にisLBAllowedを含んだ場合の図である。
【図１７】無線基地局間におけるisLBAllowedの不一致の場合のハンドオーバーの境界線の図である。
【発明を実施するための形態】
【００１４】
ＬＴＥのハンドオーバーは、無線基地局に設定される隣接セルに対する、基地局毎に定めている属性値を使用して制御している。属性値とは、ＬＴＥの標準化標準規格である３ＧＰＰ（Third Generation Partnership Project）が定めたパラメータである。しかし、現行の属性値を使用した制御方法は、ハンドオーバーを失敗する場合がある。
【００１５】
上述のハンドオーバー失敗の原因として、オペレータが、無線基地局に設定する隣接セルの属性値をそれぞれの無線基地局に設定していたことが挙げられる。もしくは、無線基地局がそれぞれのアルゴリズムを用いて、他の無線基地局の設定を知ることなく、属性値を個々に設定していたことで、属性値が不一致となったことが挙げられる。無線基地局間もしくは無線基地制御局間で隣接セル情報を通知する手段は、X2 link (非特許文献６)を用いることで可能である。
【００１６】
しかし、この隣接セル情報を通知する手段は、各隣接セル情報に対する前記属性値を含めておらず、属性値の不一致を検出する手段がなく、それぞれの属性値が双方向で異なる可能性がある。その結果、セル間を移動するユーザに対して、ハンドオーバー失敗、Load Balancing失敗、もしくは期待しないセルへのハンドオーバーが実施されていた。
【００１７】
ハンドオーバー失敗の他の原因として、２Ｇ／３Ｇ／ＬＴＥは無線基地局同士で隣接セル情報を交換する機能はあるが、Ｏ＆Ｍ（operation and maintenance）属性値であるisHOAllowed、isLBAllowed等を交換できない。そのため２Ｇ／３Ｇ／ＬＴＥは、２つのセル間のハンドオーバー失敗、Load Balancing失敗が起こり、その対処方法がないままになっていた。
【００１８】
本実施形態は、無線基地局がもつ隣接セルに付随する情報において、隣接セル毎の属性値を追加し、さらに、隣接基地局間における属性を一致化する方法を以下で示す。
【００１９】
・ハンドオーバー失敗の原因
無線基地局が設定している隣接の無線基地局のセルの属性値(ＬＴＥのケースは標準化標準規格である３ＧＰＰの非特許文献３にあるisHOAllowedと非特許文献４のNo HO)と、隣接の無線基地局が有する属性値が異なる場合、移動端末の無線基地局間のハンドオーバー失敗が起きる。
【００２０】
ハンドオーバー失敗の例として、以下に３つの例を示す。
失敗例１．
ハンドオーバーによる許可・禁止の情報（以下、「ハンドオーバー許可・禁止情報」とする）が無線基地局間の互いのセル間で異なる設定の場合に発生するハンドオーバー失敗例を示す。
ここで、異なる無線基地局が制御しているセルＡとセルＢという構成の場合を考える。
最初に、移動端末の、セルＡからセルＢへのハンドオーバーは許可されている一方で、セルＢからセルＡへのハンドオーバーは禁止されている場合である。
このとき、移動端末がセルＡからセルＢへ移動し、再びセルＢからセルＡへ戻るケースは、
ステップＳ１：セルＡからセルＢへのハンドオーバーは成功する。
ステップＳ２：ステップＳ１の後、セルＢからセルＡにハンドオーバーしようとするが、
ステップＳ３：セルＢからセルＡへのハンドオーバーを禁止しているので、移動端末は他のセルへ移動、もしくは通信切断となる。
【００２１】
このようなハンドオーバー許可・禁止情報の不一致は、オペレータの設定ミスで発生する。また、無線基地局を制御する上位ノードが、ＭＬＢ(Mobility Load Balancing)、ＭＲＯ(Mobility Robustness Optimization)等のアルゴリズムを用いて制御し、ハンドオーバー属性値を変更することがある。その際に、設定した属性値が無線基地局間で異なる状態となり、ハンドオーバー属性値の不一致が発生することがある。
【００２２】
失敗例２．
基地局は、ある特別なセルを測定させないための、ブラックリストを通知することができる。かかる属性情報は、以下の説明において、測定許可・禁止情報とする。無線基地局間でお互いのセルに対してのブラックリスト(非特許文献５においてMeasObjectEUTRAのblackCellsToAddMoListに相当する)設定、即ち測定許可・禁止情報の設定が相互に違うことでも、前述の移動端末のハンドオーバー失敗が起きる場合がある。
ここで、異なる無線基地局が制御するセルＡとセルＢという構成の場合を考える。セルＡのセルＢの扱いはブラックリストとして設定されていないことにより、セルＡにいる移動端末にはセルＢの測定を実施でき、セルＢの情報を取得できる。
一方、セルＢのセルＡの扱いはブラックリストとして設定されている。セルＢにいる移動端末はセルＡを測定する事が禁止され、セルＡの情報を取得できない。
【００２３】
この場合に、移動端末がセルＡからセルＢへ移動し、再びセルＢからセルＡへ戻るケースは、
ステップＳ１：セルＡからセルＢへのハンドオーバーは成功する。
ステップＳ２：ステップＳ１の後、移動端末がセルＡに移動し、電波の状態がセルＡの電波の品質が良くハンドオーバーしたいが、ハンドオーバーできずに別のセルにハンドオーバーする、もしくはハンドオーバーに失敗する。
【００２４】
失敗例３．
無線基地局間の属性値が異なる結果、ハンドオーバー失敗の他にload balancing（通信負荷の分散）による失敗がある。ＬＴＥは、load balancingに、isLBAllowed(非特許文献３)という属性値（以下、「負荷分散制御許可・禁止情報）ともいう）を設定している。
ここで、異なる無線基地局が制御するセルＡとセルＢという構成を考える。
セルＡからセルＢへのisLBAllowedはYesつまりLoad Balancingは許可されている。
さらに、セルＢからセルＡへのisLBAllowedはＮｏつまりLoad Balancingは禁止されている場合、セルＡのtrafficが大きいケースは、
ステップＳ１：セルＡからセルＢへtraffic を分散したいのでセルＡの移動端末をセルＢにハンドオーバーさせたい。
ステップＳ２：セルＡからセルＢへのisLBAllowedはYesより、セルＡにいる移動端末はセルＢにハンドオーバーできるので、セルＡにいる移動端末はセルＢにハンドオーバーしやすくなる。
ステップＳ３：一方、セルＢからセルＡへのハンドオーバーは、させにくくする必要がある。ステップＳ２でハンドオーバーした移動端末をセルＢからセルＡに戻りにくくするためである。
ステップＳ４：本来セルＡとセルＢのハンドオーバーの境界線は、ネットワーク構築時に、同じ境界線になるように設定されている。
【００２５】
例えば図１７のように、セルＡ、セルＢともに（１）をハンドオーバーの境界線として設定している。仮に、セルＡがLoad Balancingのため、ハンドオーバーの境界線を（２）に設定変更したときには、セルＢもセルＡに合わせてハンドオーバーの境界線を（２）に設定する。この場合は、あくまでisLBAllowedのポリシーが統一されているときである。上記例は、セルＢはセルＡからのLoad Balancingを許容しないと設定している場合なので、図１７に示すようなセルＡはセルＢとのハンドオーバーの境界線を（２）、セルＢはセルＡとのハンドオーバーの境界線を（１）と設定する。
【００２６】
そうすると、移動端末１０４は、セルＡからセルＢにハンドオーバーしようとする場合、セルＢはハンドオーバーの境界線が（１）により、またセルＡにハンドオーバーさせようとする。その後、セルＡに戻った移動端末１０４をセルＡはまたセルＢにハンドオーバーさせる。結局、移動端末１０４は、セルＡとセルＢ間でピンポンハンドオーバーをする。
また、移動端末１０４は、セルＡからセルＢにLoad Balancingのため、セルＢにハンドオーバーする。しかし、セルＢは、セルＢからセルＡへのisLBAllowedがＮｏのため、セルＡからハンドオーバーしてきた移動端末１０４を多く抱え込み、輻輳を生じる。そのため、システム全体は、Load Balancingがうまくできていない状態になる。
【００２７】
Load Balancingの属性値の一致化については、別の課題がある。現状の標準化標準規格である3GPP(非特許文献６)は、Load Balancingに関係するパラメータ変更通知は、無線基地局間はMOBILITY CHANGE REQUEST / ACKNOWLEDGE messageを送受信している。ある無線基地局が隣接する無線基地局に、MOBILITY CHANGE REQUEST messageを送信しても、受信した無線基地局がMOBILITY CHANGE FAILUREとして返す場合がある。現状は、受信した無線基地局が、isLBAllowedをNo として設定している場合に、MOBILITY CHANGE FAILURE messageとして返信すると、送信した無線基地局はなぜ隣接する基地局がMOBILITY CHANGE FAILURE messageを返信したのか、その原因が属性不一致かどうかは分からない。
【００２８】
そのため、無線基地局間で属性一致化ができずに、移動端末１０４がピンポンハンドオーバーの状態になる。
この他にも、セル間の干渉を回避するICIC（Inter-Cell Interference Coordination）を用いて、無線基地局間のisICICInformationSendAllowedの属性値統一することによって、セル間の干渉を回避することができる。
【００２９】
上記のハンドオーバー失敗例、即ち異なる無線基地局間における属性統一の失敗の原因として、以下の様なものがある。
1)プランニングツールによるアウトプットの不一致
2)異なるベンダー間による不一致
3)異なる事業者間による不一致
4)RAN SHARINGによる不一致
5)無線基地局とEM(Element Management)間のインタフェースの定義の不明確による不一致
【００３０】
＜実施の形態１＞
以下、図面を参照して本発明の実施の形態について説明する。
実施の形態１は、無線基地局間におけるセルの属性の情報交換に基づき、セルの属性値の設定を、無線基地局側の属性値と隣接する無線基地局側の属性値から、実際に設定する属性値を決定する方式である。
【００３１】
システム構成の説明．
図１に、本発明の一実施の形態としての無線通信システム１の構成を示す。無線通信システム１は無線基地局（１００、１０３）とセル（１０１、１０２）、及び無線端末（１０４、１０５）を備える。そして、通信網を介して無線基地局制御装置３、中継装置４が接続されている。
【００３２】
無線基地局１００と無線基地局１０３は、お互いにセル情報の交換を実施するインタフェースを持つ無線基地局である。ＬＴＥは、X２インタフェースを使って無線基地局間でX2 SETUP REQUEST, X2 SETUP RESPONSE, ENB CONFIGURATION UPDATE等のメッセージで隣接セル情報の交換を実施している。また、無線基地局１００が制御するセル１０１と、基地局１０３が制御するセル１０２は隣接関係にある。無線基地局制御装置３、中継装置４は後に説明する。
【００３３】
ここで、セル１０１、セル１０２は、公衆無線システムとして面展開される大きなセル（例えば、マクロセル）あるいは地理的に限定された地域・家庭・企業等の屋内におもに設置されるセル(例えば、マイクロセル・ピコセル・フェムトセル)でもよい。
【００３４】
図２には、無線基地局内部のシステム概要を示す。無線基地局（１００、１０３）内には、無線通信処理部１１０と基地局間メッセージ処理部１１１とデータベース部１１２がある。無線通信処理部１１０は、移動端末に対して隣接セル情報等を送信する。基地局間メッセージ処理部１１１は、隣接基地局との間で隣接セル情報等を送受信する。
【００３５】
基地局間メッセージ処理部１１１によって、データベース部１１２にある隣接セル情報（情報１)を隣接基地局に送信する。また、基地局間メッセージ処理部１１１は、隣接基地局から受信する隣接セル情報（情報２）をデータベース部１１２に保存する。そして、無線通信処理部１１０は、情報１と情報２とから導きだされる隣接セル情報（情報３）を移動端末に送信する。
【００３６】
データベース部１１２に、隣接セル情報要素が保管されている。図３は、無線基地局１００が無線基地局１０３に送る時のセル１０１の情報要素である。同様に、図４は、無線基地局１０３が無線基地局１００に送るときのセル情報１０２の要素である。無線基地局１００から無線基地局１０３に送るセル１０１情報要素は以下の通りである。
（セル１０１の情報）
・セル１０１と隣接しているセルの情報（この場合はセル１０２の情報も含まれている）
・無線基地局１００のセル１０１からセル１０２への仮ハンドオーバー設定
・無線基地局１００のセル１０１からセル１０２への仮ブラックリスト設定
・無線基地局１００のセル１０１からセル１０２への仮ＬＢ(LoadBalancing)設定
・無線基地局１００のセル１０１からセル１０２への実ハンドオーバー設定
・無線基地局１００のセル１０１からセル１０２への実ブラックリスト設定
・無線基地局１００のセル１０１からセル１０２への実ＬＢ(Load Balancing)設定
【００３７】
なお、仮ハンドオーバー設定・仮ブラックリスト設定・仮ＬＢ設定は、移動端末に送信しなくても構わない。また、上記のセル情報要素は、隣接セル毎に設定する。
ここで、無線基地局１００のセル１０１からセル１０２への仮ハンドオーバー設定と無線基地局１００のセル１０１からセル１０２への実ハンドオーバー設定の違いを説明する。仮ハンドオーバー設定と実ハンドオーバー設定は、同じ値である必要はない。無線基地局１００のセル１０１からセル１０２への実ハンドオーバー設定は、無線基地局１００のセル１０１からセル１０２への仮ハンドオーバー設定と、無線基地局１０３から受信する仮ハンドオーバー設定とから決定する。
【００３８】
無線基地局１００が実際に適用するハンドオーバー設定は、実ハンドオーバー設定である。一方、仮ハンドオーバー設定は、オペレータ、ＭＲＯ(Mobility Robustness Optimization)などのアルゴリズムによって設定することができる。実ハンドオーバー設定は、オペレータ、ＭＲＯなどによって設定を変更することができない属性値である。
【００３９】
同様に、無線基地局１００は、セル１０１からセル１０２への仮ブラックリスト設定とセル１０１からセル１０２への実ブラックリスト設定と、セル１０１からセル１０２への仮ＬＢ設定とセル１０１からセル１０２への実ＬＢ設定を適用する。
【００４０】
ハンドオーバー設定に関してのポリシーは、Ｙｅｓならばハンドオーバーを許可する。Ｎｏならばハンドオーバーを禁止すると設定する。これ以後の説明におけるハンドオーバー設定のＹｅｓ，Ｎｏはこの意味で用いられる。ハンドオーバー設定は、標準化標準規格である３ＧＰＰでisHOAllowedに相当する。
【００４１】
ブラックリスト設定に関してのポリシーは、Ｙｅｓならばブラックリストに含まれる。Noならばブラックリストに含まれないと設定する。これ以後の説明におけるブラックリスト設定のＹｅｓ，Ｎｏはこの意味で用いられる。
ＬＢ設定に関してのポリシーは、ＹｅｓならばＬＢを実行する。ＮｏならばＬＢを実行しないと設定する。これ以後の説明におけるＬＢ設定のＹｅｓ，Ｎｏはこの意味で用いられる。
【００４２】
無線基地局１０３から無線基地局１００に送るセル１０２情報要素を以下の通りに示す。
・セル１０２の情報
・セル１０２と隣接しているセルの情報（この場合はセル１０１の情報も含まれている）
・無線基地局１０３のセル１０２からセル１０１への仮ハンドオーバー設定
・無線基地局１０３のセル１０２からセル１０１への仮ブラックリスト設定
・無線基地局１０３のセル１０２からセル１０１への仮ＬＢ設定
・無線基地局１０３のセル１０２からセル１０１への実ハンドオーバー設定
・無線基地局１０３のセル１０２からセル１０１への実ブラックリスト設定
・無線基地局１０３のセル１０２からセル１０１への実ＬＢ設定
なお、仮ハンドオーバー設定・仮ブラックリスト設定・仮ＬＢ設定は、移動端末に送信しなくても構わない。
【００４３】
図５、６は、ＬＴＥのハンドオーバー属性値、ブラックリスト属性値及びＬＢ属性値設定を追加する場合の例を示す。
隣接するセルの情報として、X2 SETUP REQUEST, X2 SETUP RESPONSEメッセージとENB CONFIGURATION UPDATEがある。本実施の形態は、該メッセージの中に属性値としてisHOAllowed,BlackcellList,isLBAllowed設定を付け足す。下記の実施の形態の動作は、無線基地局１００と無線基地局１０３間におけるX2 SETUP REQUEST, X2 SETUP RESPONSEのやりとりに相当する。
【００４４】
動作の説明．
図７に示すように、無線基地局１００内の基地局間メッセージ処理部１１１が、データベース部１１２に記憶されたセル１０１情報を読み出し、無線基地局１０３にセル１０１情報要素を送信する。ここで、セル１０１情報要素にハンドオーバー設定、ブラックリスト設定、ＬＢ設定が含まれ、無線基地局１００から無線基地局１０３に送信される（Ｓ０１１）。
【００４５】
無線基地局１０３内の基地局間メッセージ処理部１１１は、受信したセル１０１情報要素をデータベース部１１２に記憶する。また、無線基地局１０３内の基地局間メッセージ処理部１１１は、データベース部１１２にあるセル１０２情報を読み出し、無線基地局１００にセル１０２情報要素を送信する。そして、無線基地局１０３内の基地局間メッセージ処理部１１１は、セル１０２情報要素にハンドオーバー設定、ブラックリスト設定、ＬＢ設定を含んで、無線基地局１００に送信する（Ｓ０１２）。
【００４６】
本実施の形態では、無線基地局間で隣接セル情報の属性値を送受信する。無線基地局１００内の基地局間メッセージ処理部１１１は、セル１０２情報を読み込んで、データベース部１１２に記憶する。そして、無線基地局１００は、隣接セル情報を更新する（Ｓ０１３）。
【００４７】
その後、無線基地局１００内の基地局間メッセージ処理部１１１は、先ほど受信し、データベース部１１２に記憶したセル１０２の情報要素の中にある、無線基地局１０３のセル１０２からセル１０１への仮ハンドオーバー設定と無線基地局１００のセル１０１からセル１０２への仮ハンドオーバー設定の属性値を比較する。そして、基地局間メッセージ処理部１１１は、図９に示されたアルゴリズムに基づき、無線基地局１００のセル１０１からセル１０２への実ハンドオーバー設定を決める。その後、無線基地局１００内の基地局間メッセージ処理部１１１は、データベース部１１２に該実ハンドオーバー設定を記憶する。
【００４８】
無線基地局１００内の基地局間メッセージ処理部１１１は、先ほど受信し、データベース部１１２に記憶したセル１０２の情報要素の中にある、無線基地局１０３のセル１０２からセル１０１への仮ブラックリスト設定と、無線基地局１００のセル１０１からセル１０２への仮ブラックリスト設定の属性値を比較する。そして、基地局間メッセージ処理部１１１は、図１０に示されたアルゴリズムに基づき、無線基地局１００のセル１０１からセル１０２への実ブラックリスト設定を決める。その後、無線基地局１００内の基地局間メッセージ処理部１１１は、データベース部１１２に該実ブラックリスト設定を記憶する。
【００４９】
無線基地局１００内の基地局間メッセージ処理部１１１は、先ほど受信し、データベース部１１２に記憶したセル１０２の情報要素の中にある、無線基地局１０３のセル１０２からセル１０１への仮ＬＢ設定と無線基地局１００のセル１０１からセル１０２への仮ＬＢ設定の属性値を比較する。そして、基地局間メッセージ処理部１１１は、図１０に示されたアルゴリズムに基づき、無線基地局１００のセル１０１からセル１０２への実ＬＢ設定を決める。その後、無線基地局１００内の基地局間メッセージ処理部１１１は、データベース部１１２に該実ＬＢ設定を記憶する。
【００５０】
無線基地局１００内の基地局間メッセージ処理部１１１は、無線基地局１０３に更新したセル１０１の情報要素をデータベース部１１２から読み出し、その一部を送信する（Ｓ０１４）。
ここで、更新したセル１０１の情報要素の一部は以下の通りである。
・お互いの無線基地局間での仮ハンドオーバー設定を比較し、更新した無線基地局１００のセル１０１からセル１０２への実ハンドオーバー設定
・お互いの無線基地局間での仮ブラックリスト設定を比較し、更新した無線基地局１００のセル１０１からセル１０２への実ブラックリスト設定
・お互いの無線基地局間での仮ＬＢ設定を比較し、更新した無線基地局１００のセル１０１からセル１０２への実ＬＢ設定
【００５１】
その後、無線基地局１００内の無線通信処理部１１０は、セル１０１配下にいる移動端末１０４に、データベース部１１２から読みだした隣接セル１０２情報要素を送る（Ｓ０１５）。
図７は無線基地局１００からセル情報を無線基地局１０３に先に送っているが、無線基地局１０３からセル情報を無線基地局１００に先に送る場合もある。
【００５２】
図８は、基地局間で送受信された属性値を基地局内で一致化するアルゴリズムを示す。
無線基地局１００内の基地局間メッセージ処理部１１１は、無線基地局１０３からセル１０２の情報要素を受信し、データベース部１１２に記憶する（Ｓ０２１）。無線基地局１００内の基地局間メッセージ処理部１１１は、データベース部１１２に記憶したセル１０２の情報要素にある仮ハンドオーバー設定、仮ブラックリスト設定、仮ＬＢ設定を確認する（Ｓ０２２）。
【００５３】
以下の処理は、実ハンドオーバー設定の方法について説明する。実ブラックリスト設定、実ＬＢ設定の処理も実ハンドオーバー設定と同様の方法で行われる。
【００５４】
無線基地局１００内の基地局間メッセージ処理部１１１は、データベース部１１２に記憶した無線基地局１０３のセル１０２情報要素にある無線基地局１０３のセル１０２からセル１０１への仮ハンドオーバー設定を確認する（Ｓ０２３)。
【００５５】
（１）無線基地局１００内の基地局間メッセージ処理部１１１は、データベース部１１２に記憶された基地局１００のセル１０１情報要素にある、無線基地局１００のセル１０１からセル１０２への仮ハンドオーバー設定と、基地局１０３から受信したセル１０２の情報要素の無線基地局１０３のセル１０２からセル１０１への仮ハンドオーバー設定が同じ場合、無線基地局１００のセル１０１からセル１０２への実ハンドオーバー設定を仮ハンドオーバー設定と同じ属性値を設定する（Ｓ０２４）。
【００５６】
（２）無線基地局１００内の基地局間メッセージ処理部１１１は、データベース部１１２に記憶された基地局１００のセル１０１情報要素にある、無線基地局１００のセル１０１からセル１０２への仮ハンドオーバー設定と、基地局１０３から受信したセル１０２の情報要素の無線基地局１０３のセル１０２からセル１０１への仮ハンドオーバー設定が異なっている場合、実ハンドオーバー設定を変更する(Ｓ０２５)。属性値を変更するアルゴリズムは図９で後に説明を行う。
【００５７】
図９において、無線基地局が無線基地局間のハンドオーバー設定を一致化するアルゴリズムの例を示す。
以下のアルゴリズムは、例として無線基地局１００のセル１０１情報要素にある、無線基地局１００のセル１０１の情報要素の、無線基地局１０３のセル１０１からセル１０２への実ハンドオーバー設定と、基地局１０３から受信したセル１０２の情報要素の無線基地局１０３のセル１０２からセル１０１への実ハンドオーバー設定を一致化する場合について説明する。
【００５８】
（１）データベース部１１２が記憶する、基地局１００のセル１０１情報要素にある無線基地局１００の、セル１０１からセル１０２への仮ハンドオーバー設定と、無線基地局１０３の、セル１０２からセル１０１への仮ハンドオーバー設定が同じ場合
該設定が共に"Ｙｅｓ"の場合、無線基地局１００内の基地局間メッセージ処理部１１１は、無線基地局１００のセル１０１からセル１０２への実ハンドオーバー設定"Ｙｅｓ"をデータベース部１１２へ送る。データベース部１１２は実ハンドオーバー設定"Ｙｅｓ"を更新する。これによって、無線基地局１００はセル１０１からセル１０２へのハンドオーバーに実際に適応する。
【００５９】
該設定が共に"Ｎｏ"の場合、無線基地局１００内の基地局間メッセージ処理部１１１は、無線基地局１００のセル１０１からセル１０２への実ハンドオーバー設定"Ｎｏ"をデータベース部１１２へ送る。データベース部１１２は実ハンドオーバー設定"Ｎｏ"を更新する。これによって、無線基地局１００はセル１０１からセル１０２へのハンドオーバーに実際に適応する。
【００６０】
（２）データベース部１１２が記憶する、基地局１００のセル１０１情報要素にある、無線基地局１００のセル１０１からセル１０２への仮ハンドオーバー設定と、基地局１０３から受信したセル１０２の情報要素の無線基地局１０３のセル１０２からセル１０１への仮ハンドオーバー設定の片方だけが"Ｙｅｓ"の場合、基地局間メッセージ処理部１１１は、無線基地局１００のセル１０１からセル１０２への実ハンドオーバー設定"Ｎｏ"をデータベース部１１２へ送る。データベース部１１２は実ハンドオーバー設定"Ｎｏ"を更新する。
【００６１】
これによって、無線基地局１００はセル１０１からセル１０２へのハンドオーバーに実際に適応する。セル１０１とセル１０２間の属性の設定値が異なる場合にＹｅｓないしＮｏのいずれに併せるかについては、それぞれのアルゴリズム毎に、予め定められている基準に従って全セルで共通の動作をすれば、一致化させることが可能である。
【００６２】
図１０は、無線基地局が無線基地局間のブラックリスト設定を一致化させるアルゴリズムの例を示す。
以下のアルゴリズムは、例として無線基地局１００のセル１０１情報要素にある、基地局１００のセル１０１の情報要素の無線基地局１０３のセル１０１からセル１０２への実ブラックリスト設定と、基地局１０３から受信したセル１０２の情報要素の無線基地局１０３のセル１０２からセル１０１への実ブラックリスト設定の一致化について説明する。
【００６３】
（１）データベース部１１２に記憶された基地局１００のセル１０１情報要素にある、無線基地局１００のセル１０１からセル１０２への仮ブラックリスト設定と、無線基地局１０３のセル１０２からセル１０１への仮ブラックリスト設定が同じ場合
該設定が共に"Ｙｅｓ"の場合、無線基地局１００内の基地局間メッセージ処理部１１１は、無線基地局１００のセル１０１からセル１０２への実ブラックリスト設定"Ｙｅｓ"をデータベース部１１２に送る。データベース部１１２は実ブラックリスト設定"Ｙｅｓ"を更新する。これによって、無線基地局１００はセル１０１からセル１０２へのブラックリストに実際に適応する。
【００６４】
該設定が共に共に"Ｎｏ"の場合、無線基地局１００内の基地局間メッセージ処理部１１１は、無線基地局１００のセル１０１からセル１０２への実ブラックリスト設定"Ｎｏ"をデータベース部１１２に送る。データベース部１１２は実ブラックリスト設定"Ｎｏ"を更新する。これによって、無線基地局１００はセル１０１からセル１０２へのブラックリストに実際に適応する。
【００６５】
（２）データベース部１１２に記憶された基地局１００のセル１０１情報要素にある、無線基地局１００のセル１０１からセル１０２への仮ブラックリスト設定と、基地局１０３から受信したセル１０２の情報要素の無線基地局１０３のセル１０２からセル１０１への仮ブラックリスト設定の片方だけが"Ｙｅｓ"の場合
無線基地局１００内の基地局間メッセージ処理部１１１は、無線基地局１００のセル１０１からセル１０２への実ブラックリスト設定"Ｙｅｓ"をデータベース部１１２に送る。データベース部１１２は実ブラックリスト設定"Ｙｅｓ"を更新する。これによって、無線基地局１００はセル１０１からセル１０２へのブラックリストに実際に適応する。
【００６６】
図１１は、無線基地局が無線基地局間の実ＬＢ設定を一致化するアルゴリズムの例を示す。
無線基地局間のブラックリスト設定の一致化アルゴリズムと同様の方法を用いて、図１１に示すアルゴリズムの例により無線基地局間の実ＬＢ設定を一致化する。この場合も、セル１０１とセル１０２間の属性の設定値が異なる場合にＹｅｓないしＮｏのいずれに併せるかについては、それぞれのアルゴリズム毎に予め定められている基準に従って全セルで共通の動作をすれば、一致化させることが可能である。
【００６７】
なお、上記実施の形態は基地局１００の属性値を変更する例を示した。本実施の形態にとらわれず、基地局１００がセル１０１の情報要素を基地局１０３に送信Ｓ０１１した後、基地局１０３が自身の有する属性値と比較して、基地局１０３の属性値を変更する、というステップとしてもよい。また、いずれの基地局の属性値を変更するかは、後に説明する無線基地局制御装置３に判断させても良い。
【００６８】
このように、ハンドオーバー設定、ブラックリスト設定、ＬＢ設定の属性一致化が図れるため、無線基地局１００、１０３におけるオペレータの設定ミスや設定論理の違いによる不一致でハンドオーバー失敗、Load Balancing失敗を回避することができる。また、 MRO(Mobility Robustness Optimization)によって、ある無線基地局Ａが隣接する無線基地局Ｂへのハンドオーバー、Load Balancingを禁止した場合に、隣接する無線基地局Ｂも無線基地局Ａに対してハンドオーバー、Load Balancingを禁止することで、ハンドオーバー、Load Balancing属性値の一致化が可能にある。これによって、ハンドオーバー失敗、Load Balancing失敗を回避することができる。
【００６９】
・効果の説明 
実施の形態１によって、以下の効果が得られる。
（１）無線基地局間で持つ隣接情報を知ることができる。
（２）第一の動作を実現すると、無線基地局Ａが無線基地局Ｂに設定している属性値の設定が間違っていた場合、隣接する無線基地局Ｂが無線基地局Ａに設定した属性値の設定を評価し、無線基地局Ａが実際に無線基地局Ｂに送る属性値の設定を更新し、外的な要因のミスによって無線基地局間の属性値の設定の不一致を回避することができる。
（３）（１）・（２）の動作を実現した結果、基地局の配下にいる移動端末に対して統一された隣接セル情報を知らせることができる。
【００７０】
（４）（１）・（２）の動作を実現した結果、移動端末のハンドオーバーの失敗の回数を軽減することができる。
（５）（１）・（２）の動作を実現した結果、ＭＲＯ(Mobility Robustness Optimization)や他のＳＯＮのアルゴリズムを用いて、隣接セルへの属性値を設定した場合に、無線基地局間の属性値の不一致をなくし、移動端末のハンドオーバーの失敗の回数を軽減することができる。
【００７１】
（６）（１）・（２）の動作を実現した結果、非特許文献１に記載されている、異なるＥＭ(Element Manager)や、異なるＮＭ(Network Manager)による無線基地局間の属性値の不一致をなくし、移動端末のハンドオーバーの失敗の回数を軽減することができる。
（７）（１）・（２）の動作を実現した結果、Load Balancingの制御を無線基地局間で共に実施し、的確にtrafficの負荷分散を実施することができる。
【００７２】
なお、上記実施の形態は、基地局毎に定められる属性値を用いて説明したが、これに限定されず、基地局のハンドオーバー制御、Load Balancing、ブラックリスト設定が判別可能であれば他の情報を属性値として用いても良い。
【００７３】
＜実施の形態２＞
実施の形態２は、異なる通信方式を用いた、無線基地局間のセルに対する属性を統一する処理方式である。
システム構成の説明． 
実施の形態２にかかる無線通信システムの構成は実施の形態１と同じ構成である。実施の形態１で、図１はＬＴＥの無線基地局としている。実施の形態２では、例えば、無線基地局１００が３Ｇ、無線基地局１０３がＬＴＥの通信方式で通信する組合せに適用可能である。また、無線基地局１００が２Ｇ、無線基地局１０３がＬＴＥの通信方式で通信する組合せにも適用可能である。さらに、無線基地局１００が２Ｇ、無線基地局１０３が３Ｇの通信方式で通信する組合せにも適用可能である。その際に、非特許文献７に記載されているＲＩＭ(RAN(Radio Access Network) Information Management)を用いて、コアネットワーク（基幹通信網）経由で異なる無線基地局間の隣接セル情報の属性値(ハンドオーバー設定やブラックリスト設定に関する)の交換を行うことができる（ここでは以下、ＲＩＭを地域エリア網情報制御と言う。）。また、ＬＴＥ advancedのリレーNodeB間で、無線基地局間の隣接セル情報の属性値の交換を行うことができる。
【００７４】
動作の説明．
実施の形態２では、基本的に実施の形態１と同じ動作を行う。但し、異なる無線基地局間の隣接セルの属性値の情報交換は、上述のように、ＲＩＭを用いてコアネットワーク経由で行う。
基地局１００は実施の形態１と同様の方法を用いて属性値の設定を更新する。
【００７５】
効果の説明．
実施の形態２において生じる効果は、実施の形態１における効果に加えて以下の効果が得られる。
（１）異なるアクセス方式をもつ無線基地局間で、隣接セル情報を知ることができる。
【００７６】
＜実施の形態３＞
実施の形態３の動作は、実施の形態１または２と同じである。実施の形態３で異なる部分は、ハンドオーバー設定、ブラックリスト設定に加えて、隣接セルリストからの削除可否設定（非特許文献３のisRemoveAllowed/非特許文献４のNoRemove）の属性値、隣接セル優先度属性値、ハンドオーバーのための隣接セルかどうかという属性値、PCI重複(collision/confusion)回避のための隣接セルかどうかという属性値、S1/X2HO実施可否属性値、Direct/Indirect Forwarding属性値、に設定の更新を適用するという部分である。
【００７７】
さらに、非特許文献３に記載されるEUtran Relationクラスのネイバー属性値を含める。具体的な属性値として、隣接セル毎に（isRemoveAllowed、isICICInformationSendAllowed)、隣接基地局毎にENB Function クラスのx2BlackList、x2WhiteList、x2HOBlackListなどを含める。これらの属性値はセル間の干渉に関するものである。
本実施の形態は、セルＡ、Ｂ間でisICICInformationSendAllowedを統一することにより、セルＡ，Ｂ間の干渉制御を双方向で可能とすることを目的としている。
【００７８】
システム構成の説明．
実施の形態３にかかる無線通信システムの構成は、実施の形態１と同じである。
動作の説明．
実施の形態３にかかる無線通信システムの動作は、実施の形態１と同じである。
効果の説明．
実施の形態３において生じる効果は、実施の形態１において生じる効果に加えてさらに以下の効果が得られる。
（１）基地局の配下にいる移動端末に対してハンドオーバー属性値の他にも隣接セル情報の属性値を知らせることができる。
（２）セル間の干渉を回避することができる。
【００７９】
＜実施の形態４＞
実施の形態４は、無線基地局間のセルの属性の情報交換に基づき、お互いのセルが第三のセルを隣接セルとみなしている場合に、隣接セルに対する属性値の設定を、無線基地局側の属性値と隣接する無線基地局側の属性値から、実際に隣接セルに対して設定する属性値を決定する方式である。
システム構成の説明．
図１２は実施の形態４の無線通信システム２の構成を示している。実施の形態１の無線通信システム１の構成に、さらに無線基地局２００のセル２０１を備える。
【００８０】
動作の説明．
図１２に示すように、セル１０１とセル１０２は、セル２０１を隣接セルとみなしているが、セル１０１のセル２０１に対する実属性値設定とセル１０２のセル２０１に対する実属性値設定の不一致をなくし、属性値を統一することを目的とする。例として互いのハンドオーバー属性値が下記のように不一致になっている場合を考える。
無線基地局１００のセル１０１からセル２０１への実ハンドオーバー設定は"No"
無線基地局１０３のセル１０２からセル２０１への実ハンドオーバー設定は"Yes"
上記のように不一致になっていた場合に、それぞれの実ハンドオーバーを"Yes"または"No"に統一するように設定する。
【００８１】
実施の形態４の動作は実施の形態１の図８の動作と同様である。異なっている部分は、無線基地局１００は、図１４のように無線基地局１０３から無線基地局１０３が有する無線基地局２００と関係の属性値を受信し、図１４のような無線基地局１００が持つ無線基地局２００との関係の属性値と比較して該基地局２００との関係の属性値を更新するという部分である。
【００８２】
また、同様に基地局１０３は基地局１００から、図１３のように基地局１００と基地局２００との関係の属性値を受信し、無線基地局１０３が持つ無線基地局２００との関係の属性値と比較することにより、基地局２００との関係の属性値を変更することができる。
【００８３】
これによって、隣接セルの属性値を統一することが、２つのセル間だけでなく、セル１０１とセル１０２の間で、無線基地局２００のセル２０１に対する属性値の統一にも適用できる。その結果、以下のようなハンドオーバー失敗を防ぐことができる。
無線基地局１００のセル１０１とセル１０２相互の実ハンドオーバー設定は"Yes"
無線基地局１００のセル１０１とセル２０１相互の実ハンドオーバー設定は"No"
無線基地局１０３のセル１０２とセル２０１相互の実ハンドオーバー設定は"Yes"
【００８４】
セル１０１に在圏している移動端末は、セル１０１からセル２０１へ直接には移動できない。
しかし、移動端末がセル１０１からセル１０２経由でセル２０１へ移動し、再びセル２０１からセル１０１へ戻るケースは、
（１）セル１０１からセル１０２へのハンドオーバーは成功する。
（２）セル１０２からセル２０１へハンドーバ―は成功する。
（３）セル２０１からセル１０１へのハンドオーバーを禁止しているので、移動端末は他のセルへ移動、もしくは通信切断となる。
上記のように、あるセルに対する複数の隣接セルが、あるセルに対する属性値を統一し、セル間のハンドオーバー失敗の回数を軽減することができる。また、同様に、ブラックリスト設定、ＬＢ設定等の属性値の統一に適用し、ハンドオーバー失敗、ＬＢ失敗の回数を軽減することができる。
【００８５】
効果の説明．
実施の形態４において生じる効果には、実施の形態１において生じる効果に加えてさらに以下の効果がある。
（１）無線基地局が異なる第一のセルと第二のセル両方とも第三のセルと隣接セルの関係にあるときに、第一のセルの第三のセル属性値と第二のセルの第三のセルの属性値を統一することができる。
（２）（１）を実現することによって、第一のセルと第三のセル間と第二のセルと第三のセル間のハンドオーバー失敗、Load Balancing失敗を軽減することができる。
【００８６】
＜実施の形態５＞
実施の形態５は、Load Balancingに関連する属性値に関して、ある無線基地局から隣接する無線基地局にMOBILITY CHANGE REQUEST messageを送り、isLBAllowedを伝えた時に、隣接する無線基地局がLoad Balancingをしない場合、即ち、isLBAllowedをＮｏに設定している場合、Cause値にLoad Balancingを実行しないという意味のMOBILITY CHANGE FAILURE messageを返しても、無線基地局間でisLBAllowedを統一できるという処理方式である。
【００８７】
システム構成の説明．
実施の形態５にかかる無線通信システムの構成は、図１に示す、実施の形態１にかかる構成と同じである。
動作の説明．
実施の形態５では、以下の設定における動作について考える。
・無線基地局１００のセル１０１からセル１０２への仮ＬＢ(Load Balancing)設定はON
・無線基地局１０３のセル１０２からセル１０１への仮ＬＢ(Load Balancing)設定はOFF
以下、図１５に示すフローチャートを用いて説明する。
無線基地局１００内の基地局間メッセージ処理部１１１が、無線基地局１００内のデータベース部１１２に記憶されたセル１０１情報を読み出し、セル１０２からセル１０１への仮ＬＢ設定を、無線基地局１０３に送る（Ｓ０３１）。
セル１０２からセルへ１０１の仮ＬＢ設定がOFFなので、無線基地局１０３内の基地局間メッセージ処理部１１１は、無線基地局１０３内のデータベース部１１２に記憶されたセル１０２情報を読み出し、無線基地局１００に、Cause値の中にLoad Balancingを実行しないという意味を含めたFailureメッセージを送る（Ｓ０３２）。
【００８８】
無線基地局１００内の基地局間メッセージ処理部１１１は、無線基地局１０３からのFailureメッセージを受信し、無線基地局１００のセル１０１からセル１０２への実ＬＢ設定をOFFに設定し、無線基地局１００内のデータベース部１１２は該実ＬＢ設定を記憶する（Ｓ０３３）。
【００８９】
無線基地局１００内の基地局間メッセージ処理部１１１は、更新した無線基地局１００のセル１０１からセル１０２への実ＬＢ設定（OFF）を一部に含んだセル情報をデータベース部１１２から読み出し、無線基地局１０３に送る。無線基地局１０３内の基地局間メッセージ処理部１１１は、該実ＬＢ設定（OFF）を受信し、無線基地局１０３内のデータベース部１１２に送る。無線基地局１０３内のデータベース部１１２は該実ＬＢ設定（OFF）を記憶する。そして、無線基地局１０３内のデータベース部１１２は該実ＬＢ設定（OFF）を更新する（Ｓ０３４）。
【００９０】
その後、無線基地局１００内の無線通信処理部１１０は、セル１０１配下にいる移動端末１０４に、データベース部１１２から読みだした隣接セル１０２情報要素を送信する（Ｓ０３５）。
【００９１】
無線基地局１００は、無線基地局１０３にisLBAllowedをMOBILITY CHANGE REQUESTに含めて送る。その後、無線基地局１０３は、MOBILITY CHANGE FAILUREにisLBAllowedを含めて無線基地局１００に返す。本実施の形態は、図１６に示すように、MOBILITY CHANGE FAILURE messageの構成中のCause値に、"isLBAllowed"を含める。
【００９２】
効果の説明．
実施の形態５において生じる効果には、実施の形態１の効果に加えて、以下の効果がある。
（１）無線基地局間でのLoad Balancingの属性値が不一致だった場合、ある無線基地局が、隣接する無線基地局にLoad Balancingの属性値を送り、隣接する無線基地局がFailureメッセージを送り返したときでも、Failureメッセージを受信した無線基地局は隣接する無線基地局とLoad Balancingの属性値の一致化をすることができる。
【００９３】
＜その他の実施の形態＞
実施の形態１と同じ動作ではあるが、基地局間のインタフェースではなく、無線基地局を制御する無線基地局制御装置３あるいは中継装置４を介して、隣接セル情報の交換を行う。例えば、無線基地局１００がネットワークモニタリングモードを実施して無線基地局１０３のセル１０２の報知情報を読み込み、セル１０２の隣接情報に対する属性値を取得する。あるいは、無線基地局１００が移動端末１０４に指示して無線基地局１０３のセル１０２の報知情報から隣接セル１０２の隣接情報に対する属性値を取得させ、無線基地局１００が移動端末１０４からその情報を無線基地局１００に報告させてもよい。
【００９４】
実施の形態１は、無線基地局で属性値の統一アルゴリズムを行っているが、無線基地局を制御する無線基地局制御装置３、中継装置４、O&M、EM(Element Manager)、NM(Network Manager)、Gateway等で属性値の統一アルゴリズムを処理してもよい。
また、実施の形態１は、無線基地局間で属性地の統一を自動的に行っているが、いったん無線基地局を経由してEMに通知して、オペレータで属性値不一致を確認してから、無線基地局間の属性値を手動で一致させてもよい。
【００９５】
上記各実施の形態で、３ＧＰＰの属性値を用いて説明したが、これに限定されず、上記属性値と同等の意味を持つ情報であれば、該情報を属性値として用いても良い。
【００９６】
上述の実施の形態で説明した通信制御方法は、ＡＳＩＣ（Application Specific Integrated Circuit）を含む半導体処理装置を用いて実現されてもよい。また、これらの処理は、少なくとも１つのプロセッサ（e.g. マイクロプロセッサ、ＭＰＵ、ＤＳＰ（Digital Signal Processor））を含むコンピュータシステムにプログラムを実行させることによって実現されてもよい。具体的には、これらの送信信号処理又は受信信号処理に関するアルゴリズムをコンピュータシステムに行わせるための命令群を含む１又は複数のプログラムを作成し、当該プログラムをコンピュータに供給すればよい。
【００９７】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９８】
なお、本発明は上記実施の形態に限られたものではなく、趣旨を逸脱しない範囲で適宜変更することが可能である。例えば、第４世代以上の通信規格（例えばLTE-Advanced、IMT-Advanced、WiMAX2）等の上位通信規格にも適用できる。
【００９９】
さらに、上述した実施の形態は本件発明者により得られた技術思想の適用に関する例に過ぎない。すなわち、当該技術思想は、上述した実施の形態のみに限定されるものではなく、種々の変更が可能であることは勿論である。
【０１００】
例えば、上記の実施形態の一部又は全部は、以下の付記のようにも記載されうるが、以下には限られない。
（付記１）
第１の無線基地局と隣接する第２の無線基地局が、前記第２の無線基地局が管轄する第２のセルに関する属性値を前記第１の無線基地局に送信し、
前記第１の無線基地局が前記第２のセルに関する属性値を受信し、
前記第１の無線基地局が、当該第１の無線基地局が管轄する第１のセルの属性値と、前記第２のセルの属性値を比較し、
前記第１の無線基地局は、受信した前記第２のセルの属性値が前記第１のセルの属性値と異なる場合に、予め定められている基準に従って前記第１のセルの属性値と前記第２のセルの属性値と一致させる処理を実行する、
通信制御方法。
（付記２）
前記属性値には、ハンドオーバー許可・禁止情報、測定許可・禁止情報、負荷分散制御許可・禁止情報のいずれか１つ以上が含まれる、
付記１記載の通信制御方法。
（付記３）
前記第２のセルに関する属性値は、隣接セルに付随する情報に付加されて、前記第２の無線基地局から前記第１の無線基地局に対して送信される、
付記１又は２記載の通信制御方法。
（付記４）
前記第１の無線基地局と前記第２の無線基地局の通信方式が異なる場合において、
前記第１の無線基地局と前記第２の無線基地局が接続している通信網を通じて、前記属性値を送受信する、
付記１〜３いずれかに記載の通信制御方法。
（付記５）
地域エリア網情報制御時に前記属性値の送受信を行う、
付記１の通信制御方法。
（付記６）
負荷分散制御時において、属性値に負荷分散制御許可・禁止情報を用いる、
付記１の通信制御方法。
（付記７）
第１の無線基地局が管轄する第１のセルに関する属性値と、第２の無線基地局が管轄する第２のセルに関する属性値を取得し、
取得した第１のセルに関する属性値と、前記第２のセルに関する属性値とが異なる場合に、予め定められている基準に従って前記第１のセルに関する属性値と前記第２のセルの属性値と一致させる、
通信制御方法。
（付記８）
前記属性値の送受信を、無線基地局を制御する無線基地局制御装置を介して行う、
付記１〜７いずれかに記載の通信制御方法。
（付記９）
第１の無線基地局と、当該第１の無線基地局と隣接する第２の無線基地局とを備え、
前記第２の無線基地局は、
前記第２の無線基地局が管轄する第２のセルに関する属性値を前記第１の無線基地局に送信する手段を有し、
前記第１の無線基地局は、
前記第１の無線基地局が前記第２のセルに関する属性値を受信する手段と、
当該第１の無線基地局が管轄する第１のセルの属性値と、前記第２のセルの属性値が異なる場合に、予め定められている基準に従って前記第１のセルの属性値と前記第２のセルの属性値と一致させる手段とを有する、
無線通信システム。
（付記１０）
前記属性値には、ハンドオーバー許可・禁止情報、測定許可・禁止情報、負荷分散制御許可・禁止情報のいずれか１つ以上が含まれる、
付記９記載の無線通信システム。
（付記１１）
前記第２のセルに関する属性値は、隣接セルに付随する情報に付加されて、前記第２の無線基地局から前記第１の無線基地局に対して送信される、
付記９の無線通信システム。
（付記１２）
前記第１の無線基地局と前記第２の無線基地局の通信方式が異なる場合において、
前記第１の無線基地局と前記第２の無線基地局が接続している通信網を通じて、前記属性値を送受信する、
付記９〜１１記載の無線通信システム。
（付記１３）
地域エリア網情報制御時に前記属性値の送受信を行う、
付記１２の無線通信システム。
（付記１４）
負荷分散制御時において、属性値に負荷分散制御許可・禁止情報を用いる、
付記９の無線通信システム。
（付記１５）
第１の無線基地局が管轄する第１のセルに関する属性値と、第２の無線基地局が管轄する第２のセルに関する属性値を取得する手段と、
取得した第１のセルに関する属性値と、前記第２のセルに関する属性値とが異なる場合に、予め定められている基準に従って前記第１のセルに関する属性値と前記第２のセルの属性値と一致させる手段と、
を備える、無線通信システム。
（付記１６）
前記前記属性値の送受信を、無線基地局を制御する無線基地局制御装置を介して行う、
付記９〜１５記載の無線通信システム。
（付記１７）
隣接する他の無線基地局が管轄する第１のセルに関する属性値を取得する手段と、
取得した第１のセルに関する属性値と、自身が管轄する第２のセルに関する属性値とが異なる場合に、予め定められている基準に従って前記第１のセルに関する属性値と前記第２のセルの属性値と一致させる手段とを有する、
無線基地局。
（付記１８）
前記属性値には、ハンドオーバー許可・禁止情報、測定許可・禁止情報、負荷分散制御許可・禁止情報のいずれか１つ以上が含まれる、
付記１７の無線基地局。
（付記１９）
前記第２のセルに関する属性値は、隣接セルに付随する情報に付加されて、前記第２の無線基地局から前記第１の無線基地局に対して送信される、
付記１７の無線基地局。
（付記２０）
前記第１の無線基地局と前記第２の無線基地局の通信方式が異なる場合において、
前記第１の無線基地局と前記第２の無線基地局が接続している通信網を通じて、前記属性値を送受信する、
付記１７〜１９記載の無線基地局。
（付記２１）
地域エリア網情報制御時に前記属性値の送受信を行う、
付記１７の無線基地局。
（付記２２）
負荷分散制御時において、属性値に負荷分散制御許可・禁止情報を用いる、
付記１７の無線基地局。
（付記２３）
前記前記属性値の送受信を、無線基地局を制御する無線基地局制御装置を介して行う、
付記１７〜２２記載の無線基地局。
（付記２４）
第１の無線基地局が管轄する第１のセルに関する属性値と、第２の無線基地局が管轄する第２のセルに関する属性値を取得し、
取得した第１のセルに関する属性値と、前記第２のセルに関する属性値とが異なる場合に、予め定められている基準に従って前記第１のセルに関する属性値と前記第２のセルの属性値と一致させる、
処理をコンピュータに実行させる非一時的なコンピュータ可読媒体。
（付記２５）
前記属性値には、ハンドオーバー許可・禁止情報、測定許可・禁止情報、負荷分散制御許可・禁止情報のいずれか１つ以上が含まれる、
付記２４の非一時的なコンピュータ可読媒体。
（付記２６）
前記第２のセルに関する属性値は、隣接セルに付随する情報に付加されて、前記第２の無線基地局から前記第１の無線基地局に対して送信される、
付記２４の非一時的なコンピュータ可読媒体。
（付記２７）
前記第１の無線基地局と前記第２の無線基地局の通信方式が異なる場合において、
前記第１の無線基地局と前記第２の無線基地局が接続している通信網を通じて、前記属性値を送受信する、
付記２４〜２６記載の非一時的なコンピュータ可読媒体。
（付記２８）
地域エリア網情報制御時に前記属性値の送受信を行う、
付記２５の非一時的なコンピュータ可読媒体。
（付記２９）
負荷分散制御時において、属性値に負荷分散制御許可・禁止情報を用いる、
付記２４の非一時的なコンピュータ可読媒体。
（付記３０）
第１の無線基地局が管轄する第１のセルに関する属性値と、第２の無線基地局が管轄する第２のセルに関する属性値を取得し、
取得した第１のセルに関する属性値と、前記第２のセルに関する属性値とが異なる場合に、予め定められている基準に従って前記第１のセルに関する属性値と前記第２のセルの属性値と一致させる、
処理をコンピュータに実行させる非一時的なコンピュータ可読媒体。
（付記３１）
前記属性値の送受信を、無線基地局を制御する無線基地局制御装置を介して行うようコンピュータに実行させる、
付記２５〜３０記載の非一時的なコンピュータ可読媒体。
【０１０１】
以上、実施の形態を参照して本願発明を説明したが、本願発明は上記によって限定されるものではない。本願発明の構成や詳細には、発明のスコープ内で当業者が理解し得る様々な変更をすることができる。
【０１０２】
この出願は、２０１２年１１月１３日に出願された日本出願特願２０１２−２４９６７０を基礎とする優先権を主張し、その開示の全てをここに取り込む。
【符号の説明】
【０１０３】
１  無線通信システム
２  無線通信システム
３  無線基地局制御装置
４  中継装置
１００  無線基地局
１０１  セル
１０２  セル
１０３  無線基地局
１０４  移動端末
１０５  移動端末
１１０  無線通信処理部１１０
１１１  基地局間メッセージ処理部１１１
１１２  データベース部１１２
２００  無線基地局
２０１  セル
【図１】
0005850175.tif 000002
【図２】
0005850175.tif 000003
【図３】
0005850175.tif 000004
【図４】
0005850175.tif 000005
【図５】
0005850175.tif 000006
【図６】
0005850175.tif 000007
【図７】
0005850175.tif 000008
【図８】
0005850175.tif 000009
【図９】
0005850175.tif 000010
【図１０】
0005850175.tif 000011
【図１１】
0005850175.tif 000012
【図１２】
0005850175.tif 000013
【図１３】
0005850175.tif 000014
【図１４】
0005850175.tif 000015
【図１５】
0005850175.tif 000016
【図１６】
0005850175.tif 000017
【図１７】
0005850175.tif 000018